【手続補正書】
【提出日】平成16年11月24日(2004.11.24)
【手続補正１】
【補正対象書類名】明細書
【補正対象項目名】特許請求の範囲
【補正方法】変更
【補正の内容】
【特許請求の範囲】
【請求項１】
少なくとも６個の炭素原子を含むアルキル基を有する化合物、芳香環を含む化合物、およびこれらの組合せよりなるグループから選択される、モノマー、オリゴマーおよび／またはポリマーインターカラント表面修飾剤を、層状物と接触させることによって形成される剥離可能なインターカレーション物であって、
該表面修飾剤は、マトリックス物に対して反応性を有する官能基を含み、および
該インターカレーション物は、表面修飾剤と層間陽イオンとのモル比が少なくとも１：５であり、かつ層状物に隣接する層間空間において、表面修飾剤の収着および複合を招き、なおかつ表面修飾剤を収着した後の該層状物の隣接する小板間の間隔が少なくとも１０Åである、ことを特徴とするインターカレーション物。
【請求項２】
前記表面修飾剤の濃度が、インターカレーション物での水、表面修飾剤用の有機溶媒、およびモノマーインターカラント表面修飾剤の重量の少なくとも０.１重量％である請求項１に記載のインターカレーション物。
【請求項３】
前記層状物の乾燥重量の少なくとも１重量％の濃度の、モノマー、オリゴマー、ポリマー、およびこれらの組合せよりなるグループから選択された分子形態の第二インターカラントをさらに含む請求項１または２に記載のインターカレーション物。
【請求項４】
前記第二インターカラントの濃度が、前記層状物の乾燥重量の少なくとも２重量％である請求項３に記載のインターカレーション物。
【請求項５】
前記第二インターカラントの濃度が、前記層状物の乾燥重量の少なくとも３０重量％である請求項４に記載のインターカレーション物。
【請求項６】
前記第二インターカラントの濃度が、前記層状物の乾燥重量の１０重量％〜６０重量％である請求項４に記載のインターカレーション物。
【請求項７】
前記第二インターカラントの濃度が、前記層状物の乾燥重量の５０重量％〜９０重量％である請求項５に記載のインターカレーション物。
【請求項８】
前記第二インターカラントの濃度が、前記層状物の乾燥重量の少なくとも１０重量％である請求項３に記載のインターカレーション物。
【請求項９】
前記第二インターカラントの濃度が、前記層状物の乾燥重量の１６重量％〜７０重量％である請求項８に記載のインターカレーション物。
【請求項１０】
前記第二インターカラントの濃度が、前記層状物の乾燥重量の１６重量％〜３５重量％である請求項９に記載のインターカレーション物。
【請求項１１】
前記第二インターカラントの濃度が、前記層状物の乾燥重量の３５重量％〜５５重量％である請求項９に記載のインターカレーション物。
【請求項１２】
前記第二インターカラントの濃度が、前記層状物の乾燥重量の５５重量％〜２００重量％である請求項８に記載のインターカレーション物。
【請求項１３】
前記表面修飾剤が、マトリックス物に対して反応性を有する官能基から離間した静電気性官能基を含み、かつ該静電気性官能基が、イオン結合、静電気的結合、キレート形成、水素結合、イオン−双極子、双極子／双極子、ファン・デル・ワールス力およびこれらの組合せよりなるグループから選択される結合様式を介して、フィロシリケート小板の内側表面に複合される請求項１乃至１２項のいずれかに記載のインターカレーション物。
【請求項１４】
前記層状物にインターカレーションされる表面修飾剤の量が、前記層状物の乾燥重量の１０重量％〜２００重量％である請求項１乃至１３のいずれかに記載のインターカレーション物。
【請求項１５】
前記層状物にインターカレーションされる表面修飾剤の量が、前記層状物の乾燥重量の１５重量％〜８０重量％である請求項１４に記載のインターカレーション物。
【請求項１６】
前記表面修飾剤と層間陽イオンとのモル比が、１：１〜１：５である請求項１５に記載のインターカレーション物。
【請求項１７】
第二インターカラントとフィロシリケート物との重量比が、１００グラムのフィロシリケート物に対して、２０グラム〜８０グラムの第二インターカラントである請求項３乃至１２のいずれかに記載のインターカレーション物。
【請求項１８】
前記表面修飾剤と前記層状物の重量比が、１：１〜１：５である請求項１７に記載のインターカレーション物。
【請求項１９】
前記層状物にインターカレーションされる表面修飾剤の量が、前記層状物の乾燥重量の１０重量％〜２００重量％である請求項１に記載のインターカレーション物。
【請求項２０】
前記層状物にインターカレーションされる表面修飾剤の量が、前記層状物の乾燥重量の１５重量％〜８０重量％である請求項１９に記載のインターカレーション物。
【請求項２１】
インターカレーション物の製造方法であって、以下の工程、すなわち、
少なくとも６個の炭素原子を含むアルキル基を有する化合物、芳香環を含む化合物、およびこれらの組合せよりなるグループから選択されるインターカラント表面修飾剤を少なくとも２重量％含む組成物と、フィロシリケートとを接触せしめ、
請求項１乃至２０のいずれかに記載のインターカレーション物を形成し、および
隣接するフィロシリケート小板間の間隔を少なくとも１０Å離間させるに十分な量の該表面修飾剤を、フィロシリケート小板間へインターカレーションする、工程を含み、
かつ該表面修飾剤が、マトリックス物に対して反応性を有する官能基を含む、
ことを特徴とするインターカレーション物の製造方法。
【請求項２２】
前記インターカレーション物が、その総重量の５重量％〜５０重量％の水を含んだ水性担体を含む請求項２１に記載の方法。
【請求項２３】
前記水の量が、前記インターカレーション物の総重量の１０重量％〜４０重量％である請求項２２記載の方法。
【請求項２４】
前記インターカレーション物が、重合可能なモノマー、重合可能なオリゴマー、ポリマー、およびこれらの組合せよりなるグループから選択された分子形態の第二インターカラントを、該インターカレーション物の少なくとも１重量％の濃度で、さらに含む請求項２１乃至２３のいずれかに記載の方法。
【請求項２５】
前記インターカレーション物が、前記インターカレーション物でのフィロシリケートの乾燥重量の１０重量％〜２００重量％の表面修飾剤を含む請求項２１に記載の方法。
【請求項２６】
インターカレーションされたフィロシリケートの小板を分離してインターカレーション物を剥離させることによって、剥離物を形成させる工程をさらに含む請求項２１乃至２５のいずれかに記載の方法。
【請求項２７】
前記インターカレーション物の大部分が、個々の小板にまで剥離されている請求項２６記載の方法。
【請求項２８】
その４０重量％〜９９.９５重量％に有機性液状担体を含み、かつその０.０５重量％〜６０重量％に請求項１乃至２０のいずれかに記載のインターカレーション物を含む、ことを特徴とする組成物。
【請求項２９】
前記インターカレーション物の少なくとも１重量％の濃度で、かつ前記インターカレーション物でのフィロシリケートの乾燥重量の少なくとも４重量％の濃度の、重合可能なモノマー、重合可能なオリゴマー、ポリマー、およびこれらの組合せよりなるグループから選択された分子形態の第二インターカラントをさらに含む請求項２８に記載の組成物。
【請求項３０】
その１０重量％〜９９.９５重量％に熱可塑性ポリマー、熱硬化性ポリマーおよびこれらの組合せよりなるグループから選択されるマトリックスポリマーを含み、かつその０.０５重量％〜６０重量％に請求項１乃至２０のいずれかに記載のインターカレーション物を含む、ことを特徴とする合成物。